(57)【要約】【課題】医療用語の標準化に貢献し得る情報を取得できるようにする。【解決手段】複数の医療用語（内視鏡用語）が記録される記録手段（ＨＤＤ１８）と、該記録手段に記録されている医療用語の中から所定の複数の医療用語が表示される表示手段（モニタ５）と、該表示手段に表示された前記所定の複数の医療用語の中から所定の医療用語を選択する選択手段（検索端末４）と、該選択手段により選択された前記所定の医療用語が登録されるデータベース（データベース２０）と、該データベースを検索し、前記記録手段に記録されている医療用語毎に前記選択手段による選択回数をカウントする計数手段（検索端末４）と、を有するように構成される医療情報管理システムである。【選択図】  図１
2004178357.tif 000002
【特許請求の範囲】
【請求項１】
複数の医療用語が記録される記録手段と、
該記録手段に記録されている医療用語の中から所定の複数の医療用語が表示される表示手段と、
該表示手段に表示された前記所定の複数の医療用語の中から所定の医療用語を選択する選択手段と、
該選択手段により選択された前記所定の医療用語が登録されるデータベースと、
該データベースを検索し、前記記録手段に記録されている医療用語毎に前記選択手段による選択回数をカウントする計数手段と、
を有することを特徴とする医療情報管理システム。
【請求項２】
前記選択手段により選択された医療用語に対する補足情報を入力する入力手段を更に有し、
前記データベースには、前記入力手段により入力された補足情報が前記選択手段により選択された医療用語に関連付けて登録され、
前記計数手段は、更に、前記記録手段に記録されている医療用語毎に前記入力手段による入力回数をカウントする、
ことを特徴とする請求項１記載の医療情報管理システム。
【請求項３】
前記選択手段により医療用語が選択されるまでに要した時間を計測する計測手段を更に有し、
前記データベースには、前記計測手段により計測された時間が前記選択手段により選択された医療用語と関連付けて登録され、
前記計数手段は、更に、前記記録手段に記録されている医療用語毎に、少なくとも前記計測手段により計測された時間の合計或いは平均の演算を行う、
ことを特徴とする請求項１記載の医療情報管理システム。
【請求項４】
記録されている医療用語の中から所定の複数の医療用語を表示し、
該表示した前記所定の複数の医療用語の中から所定の医療用語を選択し、
該選択した前記所定の医療用語をデータベースに登録し、
前記データベースを検索し、前記記録されている医療用語毎に前記選択の回数をカウントする、
ことを特徴とする医療情報管理方法。
【発明の詳細な説明】
【０００１】
【発明の属する技術分野】
本発明は、入力された検査結果情報（例えば内視鏡等の検査結果情報）に基づいて医療用語の標準化に貢献し得る情報を取得する医療情報管理システム及び医療情報管理方法に関する。
【０００２】
【従来の技術】
従来、検査結果情報（例えば内視鏡検査結果情報）等の医療情報を登録して必要に応じて所望の医療情報の参照を可能にした医療情報システムが提案されている（特許文献１など）。
【０００３】
例えば、このようなシステムを利用している病院の検査部門では、患者への検査が終了すると、担当医師等によってその患者の患者情報（患者ＩＤや氏名等）と共に検査結果情報（所見等）が入力されるようになっている。これにより、検査が終了する毎に患者の検査結果情報がシステムに登録され、必要に応じて患者ＩＤ等をキーに検査結果情報を検索して所望の検査結果情報を参照することができるようになっている。例えば、同一患者の過去の検査結果を検索して過去の所見を参照することによって経過観察が可能になり、診断・治療を効率的に行うことができるようになっている。
【０００４】
このように、検査結果情報等の医療情報が電子データとして管理されるようになると医療情報の情報交換が容易になり、それに伴ってその情報交換が頻繁に行われるようになってきた。そこで、このような医療情報の情報交換等を考慮して、医療分野においては医療用語の標準化が進められている。
【０００５】
例えば、内視鏡分野においては、ＭＳＴ（Ｍｉｎｉｍａｌ  ＳｔａｎｄａｒｄＴｅｒｍｉｎａｌｏｇｙ）と称される、標準化された内視鏡用語集が整備されつつあり、前述のようなシステムの中には、このＭＳＴを用いて検査結果情報の入力を行うことを可能にしたシステムも提案されている。但し、このＭＳＴについては、現在もなお標準化が進められている。
【０００６】
【特許文献１】
特開２００２−１２３６０６号公報
【０００７】
【発明が解決しようとする課題】
このように、従来においては、医療情報が登録され、必要に応じて所望の医療情報の参照を可能にするシステムは存在していたが、一方で、その登録された医療情報を利用して医療用語の標準化に貢献し得る情報を取得することができるシステムは存在していなかった（或いは提案されていなかった）。例えば、登録された医療情報にて使用されている医療用語が標準化された医療用語として適切であるか否か、等といったことを判断するための情報を取得することが可能なシステムは存在していなかった（或いは提案されていなかった）。
【０００８】
本発明の課題は、上記実情に鑑み、医療用語の標準化に貢献し得る情報を取得可能な医療情報管理システム及び医療情報管理方法を提供することである。
【０００９】
【課題を解決するための手段】
本発明の第一の態様である医療情報管理システムは、複数の医療用語が記録される記録手段と、該記録手段に記録されている医療用語の中から所定の複数の医療用語が表示される表示手段と、該表示手段に表示された前記所定の複数の医療用語の中から所定の医療用語を選択する選択手段と、該選択手段により選択された前記所定の医療用語が登録されるデータベースと、該データベースを検索し、前記記録手段に記録されている医療用語毎に前記選択手段による選択回数をカウントする計数手段と、を有するように構成される。
【００１０】
上記の構成によれば、医療用語毎に選択回数がカウントされるようになる。これにより、選択回数の多い或いは少ない医療用語を判定して標準化された医療用語として適切であるか否かを判断する、等といった医療用語の標準化に貢献し得る情報を取得することが可能になる。
【００１１】
本発明の第二の態様である医療情報管理システムは、上記第一の態様において、前記選択手段により選択された医療用語に対する補足情報を入力する入力手段を更に有し、前記データベースには、前記入力手段により入力された補足情報が前記選択手段により選択された医療用語に関連付けて登録され、前記計数手段は、更に、前記記録手段に記録されている医療用語毎に前記入力手段による入力回数をカウントする、ように構成される。
【００１２】
この構成によれば、医療用語毎に補足情報の入力回数がカウントされるようになる。これにより、入力回数の多い或いは少ない医療用語を判定して標準化された医療用語として適切であるか否かを判断する、等といった医療用語の標準化に貢献し得る情報を取得することが可能になる。
【００１３】
本発明の第三の態様である医療情報管理システムは、上記第一の態様において、前記選択手段により医療用語が選択されるまでに要した時間を計測する計測手段を更に有し、前記データベースには、前記計測手段により計測された時間が前記選択手段により選択された医療用語と関連付けて登録され、前記計数手段は、更に、前記記録手段に記録されている医療用語毎に、少なくとも前記計測手段により計測された時間の合計或いは平均の演算を行う、ように構成される。
【００１４】
この構成によれば、医療用語毎に選択されるまでに要した時間の合計や平均等が演算（計数）されるようになる。これにより、選択に要した合計時間（或いは平均時間等）の長い或いは短い医療用語を判定して標準化された医療用語として適切であるか否かを判断する、等といった医療用語の標準化に貢献し得る情報を取得することが可能になる。
【００１５】
本発明の第四の態様である医療情報管理方法は、記録されている医療用語の中から所定の複数の医療用語を表示し、該表示した前記所定の複数の医療用語の中から所定の医療用語を選択し、該選択した前記所定の医療用語をデータベースに登録し、前記データベースを検索し、前記記録されている医療用語毎に前記選択の回数をカウントする。
【００１６】
この方法によれば、上記第一の態様と同じような作用・効果を奏する。
【００１７】
【発明の実施の形態】
以下、本発明の実施の形態を図面を参照しながら説明する。
図１は、本発明の一実施の形態に係る医療情報管理システムの構成例を示す図であり、本システムが病院の内視鏡検査部門に適用されたときの構成例を示している。
【００１８】
同図において、医療情報管理システム（以下、単にシステムと言う）１は、内視鏡検査を実施する電子内視鏡装置２と、電子内視鏡装置２からの映像信号のデジタル変換と圧縮処理を行う画像圧縮装置３と、検査の画像および検査結果（レポート）情報を記録／再生等する検索端末４と、この検索端末４の情報を表示するモニタ５と、データ入力等を行うキーボード＆マウス６等で構成されており、電子内視鏡装置２と画像圧縮装置３、画像圧縮装置３と検索端末４、検索端末４とモニタ５及びキーボード＆マウス６が、各々接続されている。
【００１９】
電子内視鏡装置２は、患者の体内に挿入して内視鏡検査を行うための電子内視鏡７と、この電子内視鏡７に照明光を供給する光源装置８と、電子内視鏡７の撮像手段で撮像した信号に対して映像信号生成の処理を行って生成した映像信号を出力するビデオプロセッサ９と、このビデオプロセッサ９で生成した映像信号を表示する図示しないモニタとを有する。
【００２０】
電子内視鏡７は、体内へ挿入するための細長の挿入部１１と、この挿入部１１の後端に設けられた操作部１２とを有し、操作部１２にはレリーズ指示を行うレリーズスイッチ１３が設けられており、このレリーズスイッチ１３の押下操作によって画像圧縮装置３に対して記録の指示が行われ、画像の記録が可能な構成となっている。
【００２１】
画像圧縮装置３は、内部メモリに圧縮・通信プログラム１４を格納し、この圧縮・通信プログラム１４を実行することによって、電子内視鏡装置２または検索端末４との間で、患者データおよび画像の送受を行う。
具体的には、電子内視鏡装置２のビデオプロセッサ９からの画像記録指示を受け、電子内視鏡装置２のビデオプロセッサ９から映像信号線１５を介して出力されるアナログ映像信号に対してデジタル変換およびデータ圧縮処理を行い、また電子内視鏡装置２のビデオプロセッサ９から制御／データ線１６を介して入力される患者データと共に検索端末４へ送信する制御を行っている。
【００２２】
検索端末４は、内部メモリにアプリケーションプログラム１７を格納し、このアプリケーションプログラム１７を実行することによって、画像圧縮装置３から送信された圧縮画像および患者データの記録制御と、キーボード＆マウス（の少なくとも一方、これをキーボード／マウスと略記）６を使用して入力された検査結果情報の記録制御と、記録された圧縮画像と検査結果情報の検索／表示制御と、記録された検査結果情報に基づいて医療用語の標準化に貢献し得る情報を取得する制御と、検査結果情報の各種の入力に要する時間を計測する制御、等といった各種の制御処理を行う。
【００２３】
このような検索端末４による制御処理が行われることによって、例えば、画像圧縮装置３から送信されたデータおよび検査後に入力された検査結果情報が、全て検索端末４内のハードディスク装置（ＨＤＤと略記）１８に記録され、ＨＤＤ１８内においては、圧縮画像１９等が記録され、所望の画像や検査結果情報が患者データや検査日等から検索可能なように互いに関連づけられてデータベース２０上に管理（登録，記録）される。また、このように記録・管理された画像や検査結果情報は、検索・表示指示を受けることによって、対応する画像や検査結果情報の検索／呼び出しがなされ、モニタ５に送られた後に表示が行われる。但し、ＨＤＤ１８から呼び出された圧縮画像１９のデータは、データ圧縮処理が施された圧縮画像であるため、圧縮画像１９の呼び出し後、圧縮画像データの伸長処理が合わせて行われる。
【００２４】
また、検索端末４による、本実施の形態の特徴である制御処理が行われることによって、記録・管理された検査結果情報から、使用されている医療用語の各々の使用率が求められる等して、医療用語の標準化に貢献し得る情報が取得され、必要に応じてＨＤＤ１８に記録され或いはモニタ５に送られた後に表示が行われる。尚、この医療用語の標準化に貢献し得る情報を取得する制御処理の詳細については後述する。
【００２５】
次に、本システム１における検査結果情報の入力方法について説明する。
図２は、この検査結果情報を入力するときに、モニタ５上に表示される操作画面の一例である。
この操作画面上において、キーボード／マウス６から指示や文字の入力を行い、保存することで、検索端末４のＨＤＤ１８内に管理されているデータベース２０上に記録が行われる。
【００２６】
同図において、操作画面は、患者基本情報を表示する患者基本情報表示エリア２１、検査依頼情報を表示する検査依頼情報表示エリア２２、検査結果情報を入力／表示する検査結果情報入力／表示エリア２３、画像を表示する画像表示エリア２４とから構成されている。
【００２７】
患者基本情報表示エリア２１は、患者ＩＤ、患者名、性別、生年月日、年令、入院／外来の区分、病室、病棟等、患者に関わる情報が表示されるエリアである。
検査依頼情報表示エリア２２は、検査種別、検査項目、検査目的、依頼病名等の検査の内容に関する情報と、依頼科名、依頼医師名等の依頼元に関する情報が表示されるエリアである。
【００２８】
画像表示エリア２４には、検査にて記録された画像の縮小画像がＡ、Ｂ、Ｃ等で示すように表示されるエリアであり、縮小画像の１つをマウスにて選択すると、記録された原画像の表示が行われるようになっている。
検査結果情報入力／表示エリア２３は、検査を実施した日付の表示部２６、検査実施者の入力／表示部２７、総合的な内視鏡診断の結果の入力／表示部２８、検査後の指示事項や注意事項の入力／表示部２９、臓器毎に所見、診断、処置（以下、所見、診断、及び処置を単に所見等と称す）の入力／表示が可能な所見入力／表示部３０、コメントの入力／表示部３１、選択データ表示部３２、とで構成されるエリアである。
【００２９】
また、所見入力／表示部３０には、所見を入力する所見入力欄３４、診断結果を入力する診断入力欄３５、処置方法を入力する処置入力欄３６が設けてある。検査結果情報を入力する医師（ユーザ等）は、この操作画面から、キーボード／マウス６を用いて、検査結果情報入力／表示エリア２３に、検査結果情報を入力することができるが、本実施の形態に係るシステム１では、所見入力／表示部３０への入力時に前述のＭＳＴを使用しての入力が可能となっている。
【００３０】
この入力方法の説明を行うため、まずＭＳＴの構造について説明する。ＭＳＴでは、所見等の入力用に標準化された用語が整備されており、食道、胃、十二指腸、…というように臓器毎に、所見等の入力の際に使用する標準化用語が用意されている。ここでは、その一例として、食道に関する所見入力用の標準化用語の構造について説明する。
【００３１】
図３（ａ），（ｂ）  は、その構造の一例を示す図である。同図（ａ）  に示したように、その構造は、「項目」「用語」「属性」「属性値」「部位」の階層から構成されており、各階層に属する用語の選択を行うことで、食道に関する所見に記入すべき内容が決定される構造となっている。また、同図（ｂ）  は、食道に対して用意されている「部位」に属する用語の一例を示している。
【００３２】
尚、不図示ではあるが、他の臓器に関する所見入力用の標準化用語の構造についても、図３（ａ），（ｂ）  に示した構造と同様の構造を有している。また、不図示ではあるが、各臓器に対する診断入力用及び処置入力用の標準化用語の構造についても、同じような所定の構造を有している。
【００３３】
図４（ａ），（ｂ）  は、検査において食道における腫瘤が発見された場合の、図３（ａ），（ｂ）  に示した用語の選択例を示した図である。
図４（ａ），（ｂ）  では、所見内容として、
2004178357.tif 000003
という用語の選択が行われた例を示している。
【００３４】
つまり、食道に隆起性病変の一種である腫瘤があり、その腫瘤は、大きさが中であり、かつ、部分的な閉塞性の病変であり、かつ、出血の痕跡があることを示している。尚、「用語」「属性」「属性値」「部位」といった各階層の用語は、必ず選択する必要はなく、また、複数選択しても良いことになっている。
【００３５】
つまり、本実施の形態では上述のように標準化用語の項目に該当して第１の選択項目文字情報として第１の記憶手段に記憶し、さらに第１の選択項目文字情報にリンクして以下で説明するような接頭語、接尾語或いは助詞等の第２の選択項目文字情報を第２の記憶手段に記憶し、また、第１の選択項目文字情報をそれぞれキーボード／マウス６等の第１の選択手段で選択することにより、第１の選択項目文字情報にリンクして第２の選択項目文字情報をモニタ５で表示し、第１の選択項目文字情報に第２の選択項目文字情報がリンクして表示された状態で必要な項目をキーボード／マウス６等の第２の選択手段で選択可能にすることにより、標準化用語の項目のみの場合には接頭語、接尾語或いは助詞等の第２の選択項目文字情報が欠けた状態となるが、本実施の形態ではこれらの第２の選択項目文字情報の項目も標準化用語の項目にリンクして表示されるようにしているので、そのリンクされた状態でレポート作成に必要な項目を選択することにより、自然に日本語の文章となって表示できるようにしてレポート結果の入力を簡単に行えるようにしている。
【００３６】
次に、図２に示した操作画面からの所見の入力方法（所見入力欄３４への入力方法）について具体的に説明する。
まず、同図の操作画面において、入力する項目欄をマウスでクリックする。ここでは、食道に関する所見の入力を想定しているので、所見入力欄３４をクリックする。
【００３７】
所見入力欄３４をクリックすると、選択データ表示部３２に、対応するＭＳＴの項目選択データが表示される。
図５は、このときに表示されるＭＳＴの項目選択データの一例を示す図である。
【００３８】
そして、このＭＳＴの項目選択データの中から入力したい項目を選択すると、対応する下位の階層がツリー表示される。
図６は、”隆起性病変”を選択したときにツリー表示される下位階層の一例を示す図である。
【００３９】
同図では、下位階層の「用語」”小結節“、”腫瘤“、…が表示されている。この下位階層の中から所望の「用語」を選択すると、対応するＭＳＴ入力ウィンドウ３７がポップアップ表示される。
図７は、”腫瘤“を選択したときにポップアップ表示されるＭＳＴ入力ウィンドウ３７の一例を示す図である。
【００４０】
同図に示したように、ＭＳＴ入力ウィンドウ３７には、選択データ表示部３２で選択された「用語」の下位の「属性」が全て表示され、各「属性」に関する「属性値」の選択可能なリストボックス３８〜４４が表示される。
これらリストボックス３８〜４４の前後には、日本語入力する際に適した、接頭語４６や接尾語４７が表示されており、リストボックス３８〜４４と接頭語／接尾語をつなげると、所見に入力すべき日本語文が完成するようになっている。
【００４１】
例えば、同図において、前述の図４（ａ），（ｂ）  に示した選択の例の通りに入力しようとした場合は、リストボックス３８の“上１／３”と、リストボックス３９の“中程度の”と、リストボックス４２の“部分的な”と、リストボックス４４の“ある”を選択することになり、各リストボックスからの選択が行われるたびに、所見入力欄３４の表示には、それぞれの内容が追記表示されていく表示形態となる。
【００４２】
すなわち、リストボックス３８、３９、４２、４４の順次の選択により、所見入力欄３４の表示は以下のようになる。
上１／３に、腫瘤を認めます。
↓
上１／３に、中程度の、腫瘤を認めます。
↓
上１／３に、中程度の、部分的な閉塞性の、腫瘤を認めます。
↓
上１／３に、中程度の、部分的な閉塞性の、出血の痕跡のある、腫瘍を認めます。
【００４３】
このように、日本語での入力のしやすさを考慮し、助詞等を含んだ文全体の構造を参照しながらの入力ができるようになっている。
また、このＭＳＴ入力ウィンドウ３７には、医師（ユーザ等）がキーボード６を介して自由にコメントを入力できるように、コメント欄４８も表示される。このコメント欄４８は、例えば、医師（ユーザ等）が、ＭＳＴ入力ウィンドウ３７の選択項目の内容だけでは不十分と判断したとき等に利用され、補足しておきたい情報等が入力され得る。同図の例では、「腫瘤」に対する補足情報が入力され得ることになる。
【００４４】
このようにして、ＭＳＴ入力ウィンドウ３７の、各リストボックスの選択や、必要に応じてコメント欄４８への入力が終了して、マウスによりＯＫボタン４９が押下されると、各リストボックスの選択により作成された文章やコメント欄４８に入力されたコメントが、確定されたものとして所見入力欄３４に表示される。
【００４５】
尚、ここでは、所見の入力方法（所見入力欄３４への入力方法）について具体的に説明したが、診断の入力方法（診断入力欄３５への入力方法）及び処置の入力方法（処置入力欄３６への入力方法）についても同様にして行われる。
次に、このような入力方法を提供するための、マスタ構造について説明する。マスタとは、選択入力等を行うために用意されたデータテーブルのことを言い、本実施の形態に係るシステム１では、これが検索端末４のＨＤＤ１８に記録され、そのデータベース２０上に管理されている。
【００４６】
図８は、そのマスタ構造の一例を示す図である。
同図に示したように、ＭＳＴの入力を行うために用意されるマスタは、主に部位マスタ５０と、所見入力用マスタグループ５１と、診断入力用マスタグループと５２と、処置入力用マスタグループ５３とからなる。部位マスタ５０は、各臓器（食道、胃、十二指腸、…）のマスタであり、所見入力用マスタグループ５１は、図２の所見入力欄３４に入力を行うためのマスタであり、処置用入力用マスタグループ５２は、図２の処置入力欄３５に入力を行うためのマスタであり、処置入力用マスタグループ５３は、図２の処置入力欄３６に入力を行うためのマスタである。
【００４７】
また、所見入力用マスタグループ５１は、ＭＳＴ所見項目マスタ５６、ＭＳＴ所見用語マスタ５７、ＭＳＴ所見属性マスタ５８、ＭＳＴ所見属性値マスタ５９、ＭＳＴ所見部位マスタ６０から構成される。
図９は、マスタ５６乃至６０の構造の一例を示す図である。
【００４８】
同図に示したように、各マスタは、上位のマスタのデータが選択されると下位のマスタ内の選択候補が決定されるようにそれぞれリンクしている。そして、各マスタ内には、選択候補として表示する（ＭＳＴ所見項目名、ＭＳＴ所見用語名、ＭＳＴ所見属性名等の）表示データ６１と、この表示データ６１の前に表示する接頭語表示名の接頭語データ６２と、表示データ６１の後に表示する接尾語表示名の接尾語データ６３と、表示データ６１にリンクされるべき下位のデータを示すコード６４とが、管理されている。
【００４９】
このような構造をとっているため、部位マスタ５０→ＭＳＴ所見項目マスタ５６→ＭＳＴ所見用語マスタ５７→ＭＳＴ所見属性マスタ５８→ＭＳＴ所見属性値マスタ５９→ＭＳＴ所見部位マスタ６０の順にコード６４を参照して読み出すことで、図９に示した具合に、ＭＳＴ入力ウィンドウ３７上に表示することが可能になるようにしている。
【００５０】
一例を説明すると、例えば図７に示した「部位」３８は、図９に示したＭＳＴ所見部位マスタ６０から呼び出されて表示されたものであり、”食道入口部”“上１／３”“中１／３”…等は、ＭＳＴ所見部位名６１から呼び出され、リストボックス上に表示されたものである。また、部位名の接尾語“に、”は接尾語表示名６３から呼び出されて、リストボックスの後に表示されたものである。
【００５１】
尚、ここでは、所見入力用マスタグループ５１について説明したが、診断入力マスタグループ５２と処置入力用マスタグループ５３についても、同じような所定の構成を有している。
また、図２に示した操作画面への入力が終了すると、入力された検査結果情報がＨＤＤ１８に記録され、そしてＨＤＤ１８内のデータベース２０上のデータテーブルに登録され管理されるようになっている。
【００５２】
但し、このときに、前述の図２に示した操作画面への入力に要した時間や、ＭＳＴ入力ウィンドウへの入力に要した時間も、検査結果情報に関連付けされてＨＤＤ１８に記録され、データベース２０上のデータテーブルに登録・管理されるようになっている。尚、操作画面の入力に要した時間は、その操作画面を表示するための所定の指示が行われてから、その操作画面への各種の入力が終了してその登録指示が行われるまでの時間を計測することにより得られたものである。また、ＭＳＴ入力ウィンドウへの入力に要した時間は、図２に示した操作画面の選択データ表示部３２から所定の「用語」が選択されてから、その選択により表示されたＭＳＴ入力ウィンドウへの各種の入力が終了してそのＯＫボタンが押下されるまでの時間を計測することにより得られたものである。
【００５３】
また、このようにしてデータベース２０に登録された検査結果情報は、必要に応じて読み出してモニタ５に表示させ、そこで編集し、再びデータベース２０に登録させることができるようになっている。また、一旦、所見入力欄３４（又は診断入力欄３５或いは処置入力欄３６）へ入力した情報についても編集ができるようになっている。但し、このようにして検査結果情報の編集が行われた場合には、その検査結果情報に付加される対応する修正フラグがＯＮされる（１になる）ようになっている。
【００５４】
詳しくは、編集箇所が、所見入力欄３４に入力された「用語」であるときには付加される所見用語修正フラグがＯＮされ、所見入力欄３４に入力された「用語」についての「属性」であるときには付加される所見属性修正フラグがＯＮされ、所見入力欄３４に入力された「用語」についての「部位」であるときには付加される所見部位修正フラグがＯＮされるようになっている。また、修正箇所が、処置入力欄３５に入力された「用語」であるときには付加される処置用語修正フラグがＯＮされ、処置入力欄３５に入力された「用語」についての「属性」であるときには付加される処置属性修正フラグがＯＮされるようになっている。また、修正箇所が、診断入力欄３６に入力された「用語」であるときには付加される診断用語修正フラグがＯＮされ、診断入力欄３６に入力された「用語」についての「属性」であるときには付加される診断属性修正フラグがＯＮされるようになっている。但し、このような編集が行われなかった場合には、付加される各修正フラグはＯＦＦ（０）のままである。
【００５５】
尚、このような検査結果情報の編集は、始めに検査結果情報を入力した医師（ユーザ等）と同一の医師に限られず、その医師と異なる医師（ユーザ等）によっても行われ得るものである。例えば、一の医師により検査結果情報が入力されたものの、使用されている用語が適切でない等として、他の医師により検査結果情報の編集（変更）が行われることがある。
【００５６】
次に、データベース２０に登録された検査結果情報のデータテーブルの構成について説明する。
図１０は、そのデータテーブルの構成の一例を示す図である。
同図に示したように、検査結果情報のデータテーブルは、レポートテーブル７１、所見用語情報テーブル７２、処置用語情報テーブル７３、診断用語情報テーブル７４、所見属性情報テーブル７５、所見部位テーブル７６、処置属性情報テーブ７７、診断属性情報テーブル７８等からなる。
【００５７】
レポートテーブル７１には、入力された検査結果情報毎に、”内視鏡診断”、”検査後指示”、”コメント”、及び”入力時間”等が登録される。詳しくは、”内視鏡診断”，”検査後指示”，及び”コメント”として、図２に示した操作画面の入力／表示部２８，２９，及び３１に入力されたものが各々登録される。また、”入力時間”として、図２に示した操作画面の入力に要した時間が登録される。また、入力された検査結果情報毎に、”プライマリ”（テーブル番号）が付される。
【００５８】
所見用語情報テーブル７２には、入力された検査結果情報のうちの、図２に示した操作画面の所見入力欄３４に入力された「用語」毎に、”レポートＴプライマリ”、”部位コード”、”ＭＳＴ項目コード”、”ＭＳＴ用語コード”、”入力文字”、”所見文章”、”入力時間”、及び”所見用語修正フラグ”等が登録される。詳しくは、その「用語」毎に、”レポートＴプライマリ”として、何れの検査結果情報に関係するものであるかを特定するための、レポートテーブル７１の対応する”プライマリ”が登録される。また、その「用語」毎に、”部位コード”，”ＭＳＴ項目コード”，”ＭＳＴ用語コード”，”入力文字”，”所見文章”，”入力時間”，及び”所見用語修正フラグ”として、その「用語」についての部位コード，その「用語」についてのＭＳＴ所見項目コード，その「用語」のＭＳＴ所見用語コード，その「用語」について表示されたＭＳＴ入力ウィンドウ（図７参照）のコメント欄７８に入力されたコメント，その「用語」についての所見文章，その「用語」について表示されたＭＳＴ入力ウィンドウ（図７参照）への入力に要した時間，及び所見用語修正フラグが、各々登録される。また、その「用語」毎に、”プライマリ”（テーブル番号）が付される。
【００５９】
処置用語情報テーブル７３には、入力された検査結果情報のうちの、図２に示した操作画面の処置入力欄３５に入力された「用語」毎に、”所見用語情報Ｔプライマリ”、”病変Ｔプライマリ”、”部位コード”、”ＭＳＴ項目コード”、”ＭＳＴ用語コード”、”入力文字”、”所見文章”、”入力時間”、及び”処置用語修正フラグ”等が登録される。詳しくは、その「用語」毎に、”所見用語情報Ｔプライマリ”及び”病変Ｔプライマリ”として、所見に関する何れの「用語」に関係するものであるかを特定するための、所見用語情報テーブル７２の対応する”プライマリ”，及び何れの病変に関係するものであるかを特定するための、病変情報テーブル（不図示）の対応する”プライマリ”が各々登録される。また、その「用語」毎に、”部位コード”，”ＭＳＴ項目コード”，”ＭＳＴ用語コード”，”入力文字”，”処置文章”，”生検番号”，”入力時間”，及び”処置用語修正フラグ”として、その「用語」についての部位コード，その「用語」についてのＭＳＴ処置項目コード，その「用語」のＭＳＴ処置用語コード，その「用語」について表示されたＭＳＴ入力ウィンドウのコメント欄に入力されたコメント，その「用語」についての処置文章，その「用語」について使用された生検番号，その「用語」について表示されたＭＳＴ入力ウィンドウへの入力に要した時間，及び処置用語修正フラグが、各々登録される。また、その「用語」毎に、”プライマリ”（テーブル番号）が付される。
【００６０】
診断用語情報テーブル７４には、入力された検査結果情報のうちの、図２に示した操作画面の診断入力欄３６に入力された「用語」毎に、”レポートＴプライマリ”、”部位コード”、”ＭＳＴ項目コード”、”ＭＳＴ用語コード”、”入力文字”、”診断文章”、”入力時間”、及び”診断用語修正フラグ”等が登録される。詳しくは、その「用語」毎に、”レポートＴプライマリ”として、何れの検査結果情報に関係するものであるかを特定するための、レポートテーブル７１の対応する”プライマリ”が登録される。また、その「用語」毎に、”部位コード”，”ＭＳＴ項目コード”，”ＭＳＴ用語コード”，”入力文字”，”診断文章”，”入力時間”，及び”診断用語修正フラグ”として、その「用語」についての部位コード，その「用語」についてのＭＳＴ診断項目コード，その「用語」のＭＳＴ診断用語コード，その「用語」について表示されたＭＳＴ入力ウィンドウのコメント欄に入力されたコメント，その「用語」についての診断文章，その「用語」について表示されたＭＳＴ入力ウィンドウへの入力に要した時間，及び診断用語修正フラグが、各々登録される。また、その「用語」毎に、”プライマリ”（テーブル番号）が付される。
【００６１】
所見属性情報テーブル７５には、入力された検査結果情報のうちの、図２に示した操作画面の所見入力欄３４に入力された「属性」毎に、”所見用語情報Ｔプライマリ”、”レポートＴプライマリ”、”ＭＳＴ属性コード”、”ＭＳＴ属性値コード”、”入力文字”、及び”所見属性修正フラグ”等が登録される。詳しくは、その「属性」毎に、”所見用語情報Ｔプライマリ”及び”レポートＴプライマリ”として、何れの「用語」に関係するものであるかを特定するための、所見用語情報テーブル７２の対応する”プライマリ”，及び何れの検査結果情報に関係するものであるかを特定するための、レポートテーブル７１の対応する”プライマリ”が各々登録される。また、その「属性」毎に、”ＭＳＴ属性コード”，”ＭＳＴ属性値コード”，”入力文字”，及び”所見属性修正フラグ”として、その「属性」のＭＳＴ所見属性コード，その「属性」についてのＭＳＴ所見属性値コード，”所見用語情報Ｔプライマリ”によって特定される「用語」について表示されたＭＳＴ入力ウィンドウ（図７参照）のコメント欄７８に入力されたコメント，及び所見属性修正フラグが、各々登録される。また、その「属性」毎に、”プライマリ”（テーブル番号）が付される。
【００６２】
所見部位情報テーブル７６には、入力された検査結果情報のうちの、図２に示した操作画面の所見入力欄３４に入力された「部位」毎に、”所見用語情報Ｔプライマリ”、”レポートＴプライマリ”、”部位選択情報”、”ＭＳＴ部位コード”、”入力文字”、及び”所見部位修正フラグ”等が登録される。詳しくは、その「部位」毎に、”所見用語情報Ｔプライマリ”及び”レポートＴプライマリ”として、何れの「用語」に関係するものであるかを特定するための、所見用語情報テーブル７２の対応する”プライマリ”，及び何れの検査結果情報に関係するものであるかを特定するための、レポートテーブル７１の対応する”プライマリ”が各々登録される。また、その「部位」毎に、”部位選択状態”，”ＭＳＴ属性コード”，”入力文字”，及び”所見部位修正フラグ”として、”所見用語情報Ｔプライマリ”によって特定される「用語」について表示されたＭＳＴ入力ウィンドウ（図７参照）にて実際に選択された、その「部位」の文字，その「部位」のＭＳＴ部位コード，”所見用語情報Ｔプライマリ”によって特定される「用語」について表示されたＭＳＴ入力ウィンドウのコメント欄７８に入力されたコメント，及び所見部位修正フラグが、各々登録される。また、その「部位」毎に、”プライマリ”（テーブル番号）が付される。
【００６３】
処置属性情報テーブル７７には、入力された検査結果情報のうちの、図２に示した操作画面の処置入力欄３５に入力された「属性」毎に、”処置用語情報Ｔプライマリ”、”レポートＴプライマリ”、”ＭＳＴ属性コード”、”ＭＳＴ属性値コード”、”入力文字”、及び”処置属性修正フラグ”等が登録される。詳しくは、その「属性」毎に、”処置用語情報Ｔプライマリ”及び”レポートＴプライマリ”として、何れの「用語」に関係するものであるかを特定するための、処置用語情報テーブル７３の対応する”プライマリ”，及び何れの検査結果情報に関係するものであるかを特定するための、レポートテーブル７１の対応する”プライマリ”が各々登録される。また、その「属性」毎に、”ＭＳＴ属性コード”，”ＭＳＴ属性値コード”，”入力文字”，及び”処置属性修正フラグ”として、その「属性」のＭＳＴ処置属性コード，その「属性」についてのＭＳＴ処置属性値コード，”処置用語情報Ｔプライマリ”によって特定される「用語」について表示されたＭＳＴ入力ウィンドウのコメント欄に入力されたコメント，及び処置属性修正フラグが、各々登録される。また、その「属性」毎に、”プライマリ”（テーブル番号）が付される。
【００６４】
診断属性情報テーブル７８には、入力された検査結果情報のうちの、図２に示した操作画面の診断入力欄３６に入力された「属性」毎に、”診断用語情報Ｔプライマリ”、”レポートＴプライマリ”、”ＭＳＴ属性コード”、”ＭＳＴ属性値コード”、”入力文字”、及び”診断属性修正フラグ”等が登録される。詳しくは、その「属性」毎に、”診断用語情報Ｔプライマリ”及び”レポートＴプライマリ”として、何れの「用語」に関係するものであるかを特定するための、診断用語情報テーブル７４の対応する”プライマリ”，及び何れの検査結果情報に関係するものであるかを特定するための、レポートテーブル７１の対応する”プライマリ”が各々登録される。また、その「属性」毎に、”ＭＳＴ属性コード”，”ＭＳＴ属性値コード”，”入力文字”，及び”診断属性修正フラグ”として、その「属性」のＭＳＴ診断属性コード，その「属性」についてのＭＳＴ診断属性値コード，”診断用語情報Ｔプライマリ”によって特定される「用語」について表示されたＭＳＴ入力ウィンドウのコメント欄に入力されたコメント，及び診断属性修正フラグが、各々登録される。また、その「属性」毎に、”プライマリ”（テーブル番号）が付される。
【００６５】
このような構成によって、入力された検査結果情報がＨＤＤ１８に記録されると、テーブル７１乃至７８の各テーブルに、その検査結果情報の対応する情報が各々登録されるようになる。また、各テーブルに登録された情報には、関係するテーブルの”プライマリ”が含まれるようになるので、これを基に、関係するテーブルとリンクされるようになる。
【００６６】
次に、本実施の形態の特徴である、医療用語（本例の場合は内視鏡用語（ＭＳＴ））の標準化に貢献し得る情報を取得するための制御処理について説明する。ここでは、その一例として、データベース２０に登録された検査結果情報に基づいて、図２に示した操作画面の所見入力欄３４に入力された各「用語」の使用回数、その各「用語」についてのコメント使用回数（ＭＳＴ入力ウィンドウ上のコメント欄の使用回数）、その各「用語」についてのコメント使用率（ＭＳＴ入力ウィンドウ上のコメント欄の使用率）、その各「用語」についてのＭＳＴ入力ウィンドウへの入力に要する平均入力時間、及びその各「用語」についての修正頻度を、内視鏡用語の標準化に貢献し得る情報として取得する処理について説明する。
【００６７】
図１１（ａ），（ｂ）  は、その制御処理の処理内容の一例を示すフローチャートである。同図（ａ）  は、前述の使用回数、コメント使用回数、コメント使用率、入力時間を取得する制御処理を示し、同図（ｂ）  は、前述の修正頻度を取得する制御処理を示している。
【００６８】
尚、同図（ａ），（ｂ）  に示した処理は、予めＨＤＤ１８に記録（用意）されているＭＳＴ所見用語コード（「用語」）の各々について行われる処理である。
同図（ａ）  において、まず、Ｓ１１０１では、所見用語情報テーブル７２（図１０参照）に登録されている一の”プライマリ”についての処理が開始される。ここでは、本フローの開始時であるので、所見用語情報テーブル７２の始めの”プライマリ”についての処理が開始される。
【００６９】
Ｓ１１０２では、予めＨＤＤ１８に記録されているＭＳＴ所見用語コードの一と、処理対象となっている”プライマリ”に属する”ＭＳＴ所見用語コード”が一致しているか否かが判定され、その判定結果がＹｅｓの場合にはＳ１１０３へ処理が進み、Ｎｏの場合にはＳ１１０９へ処理がスキップする。
【００７０】
Ｓ１１０３では、そのＭＳＴ所見用語コードについての使用回数がインクリメントされる。尚、この使用回数は、本フローが開始されるときには０に初期化されている。
Ｓ１１０４では、処理対象となっている”プライマリ”に属する”入力文字”にコメントが登録されているか否かが判定され、その判定結果がＹｅｓの場合にはＳ１１０５へ処理が進み、Ｎｏの場合にはＳ１１０６へ処理がスキップする。
【００７１】
Ｓ１１０５では、そのＭＳＴ所見用語コードについてのコメント使用回数がインクリメントされる。尚、このコメント使用回数は、本フローが開始されるときには０に初期化されている。
Ｓ１１０６では、処理対象となっている”プライマリ”に属する”入力時間”が、それまでの合計入力時間に加算される。尚、それまでの合計入力時間は、本フローが開始されるときには０に初期化されている。
【００７２】
Ｓ１１０７では、コメント使用率の計算が行われる。詳しくは、（Ｓ１１０５の処理で得られたコメント使用回数）／（Ｓ１１０３の処理で得られた使用回数）×１００、により計算される。
Ｓ１１０８では、合計入力時間の平均が計算される。詳しくは、（Ｓ１１０６の処理で得られた合計入力時間）／（Ｓ１１０３の処理で得られた使用回数）により計算される。
【００７３】
Ｓ１１０９では、処理対象となっている”プライマリ”が、所見用語情報テーブル７２の最後の”プライマリ”であるか否かが判定され、その判定結果がＹｅｓの場合には、本フローが終了し、Ｎｏの場合には処理対象となっている”プライマリ”が所見用語情報テーブル７２の次の”プライマリ”に変更されてＳ１１０１へ処理が戻る。
【００７４】
以上のフローが行われることによって、予めＨＤＤ１８に用意されている一のＭＳＴ所見用語コード（「用語」）についての、使用回数、コメント使用回数、コメント使用率、入力時間が取得される。そして、このフローが、その予めＨＤＤ１８に記録されている全てのＭＳＴ所見用語コードの各々について行われることによって、各ＭＳＴ所見用語コード（「用語」）の、使用回数、コメント使用回数、コメント使用率、入力時間が取得される。
【００７５】
続いて、図１１（ｂ）  に示した処理について説明する。
同図（ｂ）  において、まず、Ｓ１１１１では、所見用語情報テーブル７２（図１０参照）に登録されている一の”プライマリ”についての処理が開始される。ここでは、本フローの開始時であるので、所見用語情報テーブル７２の始めの”プライマリ”についての処理が開始される。
【００７６】
Ｓ１１１２では、予めＨＤＤ１８に記録されているＭＳＴ所見用語コードの一と、処理対象となっている”プライマリ”に属する”ＭＳＴ所見用語コード”が一致しているか否かが判定され、その判定結果がＹｅｓの場合にはＳ１１１３へ処理が進み、Ｎｏの場合にはＳ１１１７へ処理がスキップする。
【００７７】
Ｓ１１１３では、そのＭＳＴ所見用語コードについての使用回数がインクリメントされる。尚、この使用回数は、本フローが開始されるときには０に初期化されている。
Ｓ１１１４では、処理対象となっている”プライマリ”に属する”所見用語修正フラグ”がＯＮされているか否かが判定され、その判定結果がＹｅｓの場合にはＳ１１１５へ処理が進み、Ｎｏの場合にはＳ１１１６へ処理がスキップする。
【００７８】
Ｓ１１１５では、そのＭＳＴ所見用語コードについての修正回数がインクリメントされる。尚、この修正回数は、本フローが開始されるときには０に初期化されている。
Ｓ１１１６では、修正頻度の計算が行われる。詳しくは、（前ステップの処理で得られた修正回数）／（Ｓ１１１３の処理で得られた使用回数−Ｓ１１１５の処理で得られた修正回数）×１００、により計算される。
【００７９】
Ｓ１１１７では、処理対象となっている”プライマリ”が、所見用語情報テーブル７２の最後の”プライマリ”であるか否かが判定され、その判定結果がＹｅｓの場合には、本フローが終了し、Ｎｏの場合には、処理対象となっている”プライマリ”が所見用語情報テーブル７２の次の”プライマリ”に変更されてＳ１１１１へ処理が戻る。
【００８０】
以上のフローが行われることによって、予めＨＤＤ１８に記録されている一のＭＳＴ所見用語コード（「用語」）についての修正頻度が取得される。そして、このような処理が、予めＨＤＤ１８に用意されている全てのＭＳＴ所見用語コードの各々について行われることによって、各ＭＳＴ所見用語コード（「用語」）が示す各「用語」の修正頻度が取得される。
【００８１】
以上、図１１（ａ），（ｂ）  に示した処理が行われることによって、各ＭＳＴ所見用語コードが示す各「用語」の、使用回数、コメント使用回数、コメント使用率、平均入力時間、及び修正頻度を取得することができる。
図１２は、図１１（ａ），（ｂ）  に示した処理によって得られた、各ＭＳＴ所見用語コードが示す各「用語」の、使用回数、コメント使用回数、コメント使用率、平均入力時間、及び修正頻度の一例を示した図である。
【００８２】
このようにして得られた情報から、使用回数の多い（或いは少ない）「用語」はどれか、コメント使用回数の多い（或いは少ない）「用語」はどれか、コメント使用率の高い（或いは低い）「用語」はどれか、平均入力時間が長い（或いは短い）「用語」はどれか、修正頻度の多い（或いは少ない）「用語」はどれか、等といった判定を行うことができ、使用されている「用語」が標準化用語として適切な内視鏡用語であるか否かを判断することができ、ＭＳＴの更なる標準化へ向けてのフィードバックが可能になる。
【００８３】
例えば、使用回数が多い「用語」（例えば図１２の「用語」”食道裂孔ヘルニア”等）は、標準化された用語として適切であると考えることが可能である。尚、この使用回数の多い「用語」については、これを図２に示した操作画面の選択データ表示部３２に表示させるときに選択しやすい位置へ表示させるようにして、本システム１の使い勝手を向上させるようにしても良い。
【００８４】
また、コメント使用率が高い「用語」（例えば図１２の「用語」”ウェッブ”等）については、医師（ユーザ等）が、その「用語」についての内容が充実していないために補足する必要があると判断したことが多かったと考えることができるので、その「用語」については、更なる内容の充実、すなわち更なる標準化を要すると考えることが可能である。
【００８５】
また、平均入力時間が長い「用語」（例えば図１２の「用語」”ウェッブ”等）については、医師（ユーザ等）が、その「用語」についての入力において、適切な選択項目が無い（内容が充実していない）等といった理由により、その入力に長い時間を要したと考えることができるので、その「用語」については、更なる内容の充実、すなわち更なる標準化を要すると考えることが可能である。
【００８６】
また、修正頻度が多い「用語」（例えば図１２の「用語」”食道裂孔ヘルニア”等）については、医師（ユーザ等）が、その「用語」についての的確な選択項目が無い（内容が充実していない）等といった理由により、その修正が為されたと考えることができるので、その「用語」については、更なる内容の充実、すなわち更なる標準化を要すると考えることが可能である。また、この修正頻度の多い「用語」は、医師（ユーザ等）によって使用する「用語」が統一されていないとも考えることができ、標準化の必要性の高い「用語」であると考えることが可能である。
【００８７】
以上、本実施の形態によれば、入力された内視鏡検査結果情報に基づいて、ＭＳＴなどの内視鏡用語の標準化に貢献し得る情報を取得することができる。
尚、本実施の形態では、医療用語として、内視鏡分野における内視鏡用語を例に説明したが、他の医療部門における他の医療用語としても良いのはもちろんである。
【００８８】
以上、本発明の医療情報管理システム及び医療情報管理方法について詳細に説明したが、本発明は上記実施形態に限定されず、本発明の要旨を逸脱しない範囲において、各種の改良及び変更を行っても良いのはもちろんである。
付記
前記選択手段により医療用語が選択されることによって以前に選択された医療用語が修正されたときに修正情報を入力する修正情報入力手段を更に有し、
前記データベースには、前記修正情報入力手段により入力された修正情報が前記選択手段により選択された医療用語に関連付けて登録され、
前記計数手段は、更に、前記記録手段に記録されている医療用語毎に前記修正情報入力手段による入力回数をカウントする、
ことを特徴とする医療情報管理システム。
【００８９】
【発明の効果】
以上、詳細に説明したように、本発明によれば、入力された検査結果情報に基づいて、医療用語の標準化に貢献し得る情報を取得することが可能になる。
【図面の簡単な説明】
【図１】本発明の一実施の形態に係る医療情報管理システムの構成例を示す図である。
【図２】検査結果情報を入力するときにモニタ上に表示される操作画面の一例である。
【図３】（ａ），（ｂ）  は、食道に関する所見入力用の標準化用語の構造の一例を示す図である。
【図４】（ａ），（ｂ）  は、検査において食道における腫瘍が発見された場合の、図３（ａ），（ｂ）  に示した用語の選択例を示した図である。
【図５】表示されるＭＳＴの項目選択データの一例を示す図である
【図６】“隆起性病変”を選択したときにツリー表示される下位階層の一例を示す図である。
【図７】”腫瘤“を選択したときにポップアップ表示されるＭＳＴ入力ウィンドウの一例を示す図である。
【図８】マスタ構造の一例を示す図である。
【図９】各マスタの構造の一例を示す図である。
【図１０】検査結果情報のデータテーブルの構成の一例を示す図である。
【図１１】（ａ），（ｂ）  は、登録された検査結果情報に基づいて、内視鏡用語の標準化に貢献し得る情報を取得する制御処理の処理内容の一例を示すフローチャートである。
【図１２】図１１（ａ），（ｂ）  に示した処理によって得られた、各ＭＳＴ所見用語コードが示す各「用語」の、使用回数、コメント使用回数、コメント使用率、平均入力時間、及び修正頻度の一例を示した図である。
【符号の説明】
１      医療情報管理システム
２      電子内視鏡装置
３      画像圧縮装置
４      検索端末
５      モニタ
６      キーボード＆マウス
７      電子内視鏡
８      光源装置
９      ビデオプロセッサ
１１    挿入部
１２    操作部
１３    レリーズスイッチ
１４    圧縮・通信プログラム
１５    映像信号線
１６    制御／データ線
１７    アプリケーションプログラム
１８    ハードディスク装置（ＨＤＤ）
１９    圧縮画像
２０    データベース
２１    患者基本情報表示エリア
２２    検査依頼情報表示エリア
２３    検査結果情報入力／表示エリア
２４    画像表示エリア
２６    表示部
２７、２８、２９  入力／表示部
３０    所見入力／表示部
３１    入力／表示部
３２    選択データ表示部
３４    所見入力欄
３５    診断入力欄
３６    処置入力欄
３７    ＭＳＴ入力ウィンドウ
３８、３９、４０、４１、４２、４３、４４  リストボックス
４６    接頭語
４７    接尾語
４８    コメント欄
４９    ＯＫボタン
５０    部位マスタ
５１    所見入力用マスタグループ
５２    診断入力用マスタグループ
５３    処置入力用マスタグループ
５６    ＭＳＴ所見項目マスタ
５７    ＭＳＴ所見用語マスタ
５８    ＭＳＴ所見属性マスタ
５９    ＭＳＴ所見属性値マスタ
６０    ＭＳＴ所見部位マスタ
６１    表示データ
６２    接頭語データ
６３    接尾語データ
６４    コード
７１    レポートテーブル
７２    所見用語情報テーブル
７３    処置用語情報テーブル
７４    診断用語情報テーブル
７５    所見属性情報テーブル
７６    所見部位情報テーブル
７７    処置属性情報テーブル
７８    診断属性情報テーブル
【図１】
2004178357.tif 000004
【図２】
2004178357.tif 000005
【図３】
2004178357.tif 000006
【図４】
2004178357.tif 000007
【図５】
2004178357.tif 000008
【図６】
2004178357.tif 000009
【図７】
2004178357.tif 000010
【図８】
2004178357.tif 000011
【図９】
2004178357.tif 000012
【図１０】
2004178357.tif 000013
【図１１】
2004178357.tif 000014
【図１２】
2004178357.tif 000015